(57)【要約】【課題】テカリを防止して明瞭な肌画像を容易に取得する。【解決手段】被写体の肌画像を撮影するための肌画像撮影装置において、所定の波長からなる紫外線を発光する光源から前記被写体の間に設けられるある特定の方向の光を通過させるための第１の偏光フィルタと、前記第１の偏光フィルタにより偏光され、前記被写体により反射された反射光を受光して肌画像を取得するための撮像手段と、前記被写体と前記撮像手段との間に前記反射光のうち前記第１の偏光フィルタと異なる方向の光を通過させるための第２の偏光フィルタとを有することにより、上記課題を解決する。【選択図】図１
0003132195.tif 000002
【実用新案登録請求の範囲】
【請求項１】
被写体の肌画像を撮影するための肌画像撮影装置において、
所定の波長からなる紫外線を発光する光源から前記被写体の間に設けられるある特定の方向の光を通過させるための第１の偏光フィルタと、
前記第１の偏光フィルタにより偏光され、前記被写体により反射された反射光を受光して肌画像を取得するための撮像手段と、
前記被写体と前記撮像手段との間に前記反射光のうち前記第１の偏光フィルタと異なる方向の光を通過させるための第２の偏光フィルタとを有することを特徴とする肌画像撮影装置。
【請求項２】
前記第１偏光フィルタ及び前記第２偏光フィルタは、石英を含む材質により形成されていることを特徴とする請求項１に記載の肌画像撮影装置。
【請求項３】
前記光源は２つ以上からなり、前記２つ以上の光源は、何れも前記撮像手段からの距離が等しく、更に前記被写体からの距離も等しい位置に配置されることを特徴とする請求項１又は２に記載の肌画像撮影装置。
【請求項４】
前記光源は、ＵＶＡI、ＵＶＡII、ＵＶＢのうち、少なくとも１つの波長を含む紫外線を発光することを特徴とする請求項１乃至３の何れか１項に記載の肌画像撮影装置。
【請求項５】
前記第２の偏光フィルタは、前記第１の偏光フィルタの偏光方向に対して十字方向になるように偏光させることを特徴とする請求項１乃至４の何れか１項に記載の肌画像撮影装置。
【考案の詳細な説明】
【技術分野】
【０００１】
本考案は、肌画像撮影装置に係り、特にテカリを防止して明瞭な肌画像を容易に取得するための肌画像撮影装置に関する。
【背景技術】
【０００２】
近年、健康や美容に関心が高まっており、特に、女性の肌の健康や美容に対する関心が非常に高くなってきている。このような状況下で、例えば美容皮膚・形成外科等では、紫外線によってできるシミやそばかす等を施術する機会が格段に高まっている。例えば、美容医療分野では、ＩＰＬ（Ｉｎｔｅｎｓｅ  Ｐｕｌｓｅｄ  Ｌｉｇｈｔ）やレーザー施術等の光線治療によって、シミ（つまり、日光黒子（老人性色素斑））をなくす治療が行われている。
【０００３】
また、化粧カウンセリング等の分野においても、例えば紫外線を照射した顔を撮影し、その撮影した画像から得られる肌の色に基づいて肌の性状を客観的に判断したり、その顧客の肌性状に最適の化粧品を推奨するための撮影装置等が存在する（例えば、特許文献１参照。）。
【０００４】
更に、皮膚に紫外線を照射して撮影を行い、得られた撮影画像からシミやそばかす等を作るメラニンの元になるメラニンモノマーを可視化して測定する手法等がある（例えば、特許文献２参照。）。
【０００５】
ところで、シミには、一般的にシミと呼んでいる、日光黒子（老人性色素斑）以外にも、肝斑、雀卵斑、脂漏性角化症及び扁平母斑等の様々な種類があるが、その全てのシミに対して上述したＩＰＬやレーザー施術、美容カウンセリング等を行っているわけではない。
【０００６】
例えば、通常、肝斑患者にはＩＰＬやレーザー施術等の光線治療を施さないが、肝斑の認識は肉眼や可視光での撮像に基づいた判定では困難であり、日光黒子が、認識が困難な肝斑（隠れ肝斑）と重なって存在する場合、ＩＰＬ施術を日光黒子に対して施すと、肝斑が更に悪化するという問題がある。
【０００７】
そこで、肝斑の存在を認識できるように、上述したシミ等の原因となるメラニンの状態を詳細に観察分析するため、ＵＶ（Ｕｌｔｒａ  Ｖｉｏｌｅｔ）カメラ画像から隠れ肝斑を判定する方法及び装置が開示されている（例えば、非特許文献１参照）。
【特許文献１】特開２００４−８１７３５号公報
【特許文献２】特開２００５−３３４１９９号公報
【非特許文献１】根岸  圭他、「色素性病変治療におけるＵＶカメラの有用性」、日本美容外科学会会報、第２５巻第３号（２２〜２７頁）別刷、平成１５年９月２５日発行．
【考案の開示】
【考案が解決しようとする課題】
【０００８】
ところで、上述した非特許文献１に示されている手法は、ＵＶカメラによる撮影を通常の室内灯下で行い、ＵＶフィルタ（波長は、２７０〜４３０ｎｍ、ピーク波長３６４ｎｍ）を用いてＵＶ写真を撮影している。
【０００９】
しかしながら、上述した構成によるＵＶカメラの撮影においては、肌にテカリがあるため、実際には肝斑の写真の写りが悪く、肝斑の存在を明確に観察することができない。つまり、従来手法では、日光黒子（老人性色素斑）や肝斑、雀卵斑、脂漏性角化症及び扁平母斑等の様々な種類のシミを正確に分類する画像を取得することができなかった。
【００１０】
したがって、本考案は、上述に鑑みてなされたものであり、テカリを防止して明瞭な肌画像を容易に取得するための肌画像撮影装置を提供することを目的とする。
【課題を解決するための手段】
【００１１】
上述した課題を解決するために、本件考案は、以下の特徴を有する課題を解決するための手段を採用している。
【００１２】
請求項１に記載された考案は、被写体の肌画像を撮影するための肌画像撮影装置において、所定の波長からなる紫外線を発光する光源から前記被写体の間に設けられるある特定の方向の光を通過させるための第１の偏光フィルタと、前記第１の偏光フィルタにより偏光され、前記被写体により反射された反射光を受光して肌画像を取得するための撮像手段と、前記被写体と前記撮像手段との間に前記反射光のうち前記第１の偏光フィルタと異なる方向の光を通過させるための第２の偏光フィルタとを有することを特徴とする。
【００１３】
請求項１記載の考案によれば、テカリを防止して明瞭な肌画像を容易に取得することができる。これにより、複数種類のシミを容易且つ正確に分類することができる。
【００１４】
請求項２に記載された考案は、前記第１偏光フィルタ及び前記第２偏光フィルタは、石英を含む材質により形成されていることを特徴とする。
【００１５】
請求項２記載の考案によれば、安価が材料で、高精度な偏光を実現することができる。
【００１６】
請求項３に記載された考案は、前記光源は２つ以上からなり、前記２つ以上の光源は、何れも前記撮像手段からの距離が等しく、更に前記被写体からの距離も等しい位置に配置されることを特徴とする。
【００１７】
請求項３記載の考案によれば、２つ以上の光源を用いることで、光量を多くすることができる。また、光源を左右対象に配置することで、均一な光を被写体に照射することができる。
【００１８】
請求項４に記載された考案は、前記光源は、ＵＶＡI、ＵＶＡII、ＵＶＢのうち、少なくとも１つの波長を含む紫外線を発光することを特徴とする。
【００１９】
請求項４記載の考案によれば、各波長別に明瞭な肌画像を取得することができる。これにより、複数種類のシミをより正確に分類することができる。
【００２０】
請求項５に記載された考案は、前記第２の偏光フィルタは、前記第１の偏光フィルタの偏光方向に対して十字方向になるように偏光させることを特徴とする。
【００２１】
請求項５記載の考案によれば、肌に対する表面反射光をカットし、皮膚の内部で散乱吸収を繰り返して生成されたシミやそばかす等の情報を含む肌内部反射光のみを撮像手段で受光することができる。また、２つの偏光フィルタにより十字方向に偏光させることで、表面反射光を最大限カットすることができるため、テカリを防止して明瞭な肌画像を容易に取得することができる。
【考案の効果】
【００２２】
本考案によれば、テカリを防止して明瞭な肌画像を容易に取得することができる。これにより、複数種類のシミを容易且つ正確に分類することができる。
【考案を実施するための最良の形態】
【００２３】
以下に、本考案における肌画像撮影装置を好適に実施した形態について、図面を用いて説明する。
【００２４】
＜システム構成＞
図１は、肌画像撮影システムの概略構成の一例を示す図である。図１に示す肌画像撮影システム１０は、光源１１−１，１１−２と、撮像手段としてのカメラ１２と、第１の偏光フィルタ１３−１，１３−２と、第２の偏光フィルタ１４と、制御装置１５とを有するよう構成されている。また、光源１１、カメラ１２、第１の偏光フィルタ１３、及び第２の偏光フィルタ１４は、肌画像撮影装置（ユニット）２０として構成されている。
【００２５】
光源１１−１，１１−２は、所定の波長からなる紫外線を発光する。なお、図１では、２つの光源１１−１，１１−２を有した構成となっているが、本考案における光源の数は２つ以上が好ましい。これにより、光量を多くすることができる。また、光源１１−１，１１−２は、カメラ１２からの距離が等しく、被写体１の撮影位置（範囲）からの距離も等しい位置に配置される。なお、光源から発光する紫外線の種類や、光源１１とカメラ１２との配置関係についての詳細は後述する。
【００２６】
なお、光源１１は、紫外線を発するストロボ等の照明装置を用いることができる。具体的には、例えばサンパック社製の型番ａｕｔｏ２２ＳＲやａｕｔｏ３０ＳＲ、ａｕｔｏ３６ＳＲ等の市販のストロボを使用することができる。なお、紫外線カットフィルタを備えているストロボの場合には、紫外線カットフィルタを除去した仕様のストロボを使用する。
【００２７】
また、カメラ１２は、光源１１−１，１１−２からの紫外線が第１の偏光フィルタ１３−１，１３−２を介して被写体１に照射され、そこから得られる反射光を第２の偏光フィルタ１４を介して受光して撮影を行う。
【００２８】
ここで、カメラ１２は、１２８０×９６０、６４０×４８０（ＴＶフォーマット）、１３４４×１０２４、４２５６×２８４８等の解像度を有する市販のＵＶデジタルカメラ（例えば、ソニー株式会社製の型番ＸＣＤ−ＳＸ９００ＵＶ、ＸＣＤ−ＳＸ９１０ＵＶ、ＸＣ−ＥＵ５０、浜松ホトニクス株式会社製の型番Ｃ８４８４−１６Ｃ、ＢＴ−ＣＣＤカメラＣ８０００等を用いることができる。更に、カメラ１２に設けられるレンズ２１は、市販の紫外線用レンズを使用することができ、例えば、ペンタックス株式会社製の型番Ｈ２５２０−ＵＶＭ（焦点距離２５ｍｍ、絞り値Ｆ２．０−１６）、Ｂ２５８０−ＵＶ（焦点距離２５ｍｍ、絞り値Ｆ２．８−１６）、Ｂ７８３８−ＵＶ（焦点距離７７．５５ｍｍ、絞り値Ｆ３．８−１６）等を使用することができる。
【００２９】
第１の偏光フィルタ１３−１，１３−２は、ストロボの発光部等のそれぞれの光源１１−１，１１−２からの光をある特定の方向に偏光させるためのフィルタである。また、第２の偏光フィルタ１４は、第１の偏光フィルタ１３−１，１３−２を通過したある特定の方向の光が被写体１により反射し、反射した散乱光のうち、ある特定の方向の反射光のみを通過させる。
【００３０】
なお、第１の偏光フィルタ１３−１，１３−２は、それぞれ偏光の方向を同一にし、更に第１の偏光フィルタ１３−１，１３−２における偏光の向きと、第２の偏光フィルタ１４の偏光の向きはお互い異なる方向にする。
【００３１】
ここで、図１に示すように、肌画像撮像システム１０は、光源１１−１，１１−２から発光された所定の紫外線を第１の偏光フィルタ１３−１，１３−２を通して特定の偏光面を有する光とし、その光を被写体１の顔等所定の位置に照射する。被写体１の所定の位置に照射された光は、皮膚表面で反射して表面反射光となる。また、表面反射光は、皮膚表面の凹凸情報を有し、更に皮膚の表面で散乱吸収を繰り返して、再び皮膚表面から出射して肌内部反射光となる。この肌内部反射光は、表皮のシミやそばかす等の肌内部情報を有するものとなる。
【００３２】
したがって、上述したように第１の偏光フィルタ１３−１，１３−２、及び第２の偏光フィルタ１４の偏光方向をお互いに異ならせることにより、表面反射光をカットし、内部反射光を通過させることで、シミやそばかす等の状態を明瞭に取得することができる。
【００３３】
更に、第１の偏光フィルタ１３−１，１３−２における偏光の向きと、第２の偏光フィルタ１４の偏光の向きはお互いに十字（クロス、９０度ずらした）方向になるようにする。これにより、表面反射光を最大限カットすることができるため、テカリを防止して明瞭な肌画像を容易に取得することができる。
【００３４】
なお、第１の偏光フィルタ１３及び第２の偏光フィルタ１４は、具体的には、例えば株式会社ルケオ製の近赤外偏光板（例えば、ＰＯＬＡＸ−３０ＩＲ（波長領域８５０ｎｍ〜２０００ｎｍ：平均透過率３０％±３％））等を使用することができる。また、第１の偏光フィルタ１３及び第２の偏光フィルタ１４の材質は、石英を含む材質であることが好ましく、例えば合成石英等を用いることができる。これにより、安価が材料で、高精度な偏光を実現することができる。なお、偏光板の代わりに拡散板を複数枚組み合わせてある特定の方向のみを通過させる構成にすることもできるが、そうした場合には複数の拡散板を所定の方向に組み合わせるため構成が複雑になり、コストもかかる。更に偏光板と同程度以上にテカリを消すことはできない。
【００３５】
また、肌画像撮影装置２０は、複数の異なる波長の紫外線（ＵＶ）を照射する機能を有し、波長別に撮影した肌画像を取得することができる。例えば、カメラ１２は、ＵＶＡＩ（波長が約３６０〜４００ｎｍ）、ＵＶＡＩＩ（波長が約３２０〜３６０ｎｍ）、ＵＶＢ（波長が約２８０〜３２０ｎｍ）、及びＶｉｏｌｅｔ（波長が約４００〜４５０ｎｍ）の波長別画像を取得することができる。
【００３６】
この場合、波長別画像の取得方法は、例えば波長別のバンドパスフィルタを光源１１若しくはカメラ１２の前に設置して所定の波長の画像のみを取得してもよく、また光源１１において、予めＵＶＡＩ、ＵＶＡＩＩ、ＵＶＢ、及びＶｉｏｌｅｔの４種類をそれぞれ発光する光源を設けておき、それを必要に応じて選択してストロボ発光させてもよい。
【００３７】
また、制御装置１５は、光源１１による所定の波長の発光制御や、カメラ１２の撮影制御、カメラ１２で撮影した肌画像を制御装置１５が備えるメモリや補助記憶装置等の蓄積手段に蓄積したり、からの取得した肌画像を制御装置１５が備えるディスプレイ等の表示手段に表示したりするための制御を行う。これにより、テカリを防止した明瞭な肌画像を容易に確認することができる。
【００３８】
更に、肌画像撮影装置２０は、被写体１における顔や手等の所定の撮影範囲をカメラ１２からの所定の位置で固定して肌画像を取得することができるように、固定部材としてのフレーム部材２２を設けてもよい。レンズの位置から所定距離にあるフレーム部材２２に顔や手等の画像取得対象の部位を固定することで、高精度な肌画像を取得することができる。なお、フレーム部材２２は、例えば顔を撮影する場合、フレーム部材２２の固定台にあごを乗せて固定する。このとき、カメラ方向に対して真正面だけでなく所定の角度傾いた位置で顔を固定することもできる。これにより、左右の頬や目尻、おでこ等といった局部の画像を取得することができる。
【００３９】
図１に示すような肌画像撮影システム１０の構成を有することにより、テカリを防止して明瞭な肌画像を容易に取得することができる。これにより、複数種類のシミを容易且つ正確に分類することができる。
【００４０】
これにより、シミの種類として存在する日光黒子（老人性色素斑）や肝斑、雀卵斑、脂漏性角化症及び扁平母斑等の様々な種類の分類を高精度に行うことができる。つまり、テカリを防止した明瞭な肌画像を制御装置１５に設けられたディスプレイ等の表示手段によりその取得した画像を表示させることで、被写体１の撮影部分の肌状態を正確に把握することができ、シミの種類を高精度に分類、評価することができる。
【００４１】
＜偏光フィルタの取り付け例＞
ここで、上述した第１の偏光フィルタ１３−１，１３−２及び第２の偏光フィルタ１４の取り付け例について図を用いて説明する。
【００４２】
図２は、肌画像撮影装置（ユニット）における偏光フィルタの取り付けの一例を示す図である。図２（ａ）に示すように、肌画像撮影装置２０に含まれる光源１１−１、１１−２及びカメラ１２において、光源１１に存在する発光部３１、及びカメラ１２のレンズ部２１に対して、図２（ｂ）に示すような偏光フィルタを設置する。
【００４３】
具体的には、図２（ｂ）に示すように光源１１からの光に対してある特定の方向へ光を通過させる第１の偏光フィルタ１３−１及び１３−２を、発光部３１全体を覆うような大きさに形成し、図２（ｃ）に示すように取り付ける。
【００４４】
なお、図２（ｂ）に示すように、光源からの光を通過させて被写体に照射する場合には縦方向に偏光させ、また照射して得られる反射光を通過させてカメラ１２に受光させる場合には横方向に偏光させている。つまり、上述したように、第１の偏光フィルタ１３−１，１３−２における偏光の向きと、第２の偏光フィルタ１４の偏光の向きはお互いに十字（クロス、９０度ずらした）方向になるようにする。これにより、表面反射光を最大限カットすることができるため、テカリを防止して明瞭な肌画像を容易に取得することができる。
【００４５】
なお、第１の偏光フィルタ１３及び第２の偏光フィルタ１４を取り付ける場合には、発光部３１−１，３１−２やレンズ２１に対して直接接着等により取り付けてもよく、また発光部３１及びレンズ２１に対して偏光フィルタを上下にスライドさせるスライド機構を設けてもよく、更にマグネット等により着脱が容易な構成にしてもよい。更に、第１の偏光フィルタ１３及び第２の偏光フィルタ１４の取り付け位置は、発光部３１−１，３１−２やレンズ２１に対して所定の間隔を設けた位置に設置してもよい。
【００４６】
＜光源１１とカメラ１２との配置関係について＞
次に、光源１１とカメラ１２との配置関係等について図を用いて説明する。図３は、光源とカメラとの配置関係を説明するための一例を示す図である。図３に示すように、複数の光源がある場合には、被写体の撮影部分に均一な紫外線光が照射されるようにカメラ１２からの位置が等しい距離となるように調整する。したがって、図３に示すカメラ１２と光源１１−１，１１−２のそれぞれの距離ｄ１，ｄ２は同一（ｄ１＝ｄ２）とすることが好ましい。
【００４７】
更に、被写体１に照射される光の強さも左右均一にすることが好ましいため、光源１１−１及び１１−２から被写体１までのそれぞれの距離ｄ３，ｄ４も同一（ｄ３＝ｄ４）とする。なお、本実施形態では、例えばｄ１（ｄ２）を５〜１０ｃｍ、ｄ３（ｄ４）を５０〜１００ｃｍとする。また、レンズ２１から被写体１までの距離ｄ５は、約５０〜１００ｃｍとするが、本考案においてｄ１〜ｄ５の距離については特に制限されるものではなく、カメラやレンズの性能（解像度、画角等）、光源の強さ等に応じて任意に調整することができる。
【００４８】
＜撮影結果＞
次に、上述した肌画像撮影システムによる撮影結果の一例について図を用いて説明する。図４は、本考案における肌画像撮影システムの撮影結果を説明するための図である。なお、図４（ａ）は、被写体のカラー画像の一例を示し、図４（ｂ）は、偏光フィルタを介していない場合の被写体の画像の一例を示し、図４（ｃ）は、本考案における偏光フィルタを介した場合の被写体の画像の一例を示している。
【００４９】
また、図４における撮影は、通常の室内環境下で、被写体１のあごをフレーム部材２２等の固定台に乗せ、閉眼させて行った。また、カメラ１２のフォーカスは、一定に保たれている。また、室内灯等の照明器具の明度による影響はない。
【００５０】
また、使用したカメラ１２は、メラニンモノマーの吸収波長別ＵＶデジタルカメラを含む偏光紫外線カメラを使用した。なお、メラニンモノマーは、シミの原因であるメラニンになる前段階の前躯体であり、紫外線を十分に吸収するものである。また、撮影では、ＵＶＡＩ、ＵＶＡＩＩ、及びＵＶＢの３種類の波長別画像を取得し、カラー画像と比較して、対象とするシミのコントラストの増減を判定した。
【００５１】
図４（ｃ）に示すように、十字方向に偏光させる偏光フィルタを設けることにより、図４（ａ），（ｂ）と比較してテカリを防止した明瞭な肌画像を取得することができる。
【００５２】
これにより、例えば肝斑、雀卵斑、日光性黒子、脂漏性角化症、及び扁平母斑等のシミを正確に把握することができる。
【００５３】
例えば、肝斑の場合は、ＵＶ波長の長さに関係なく、ＵＶＡＩ、ＵＶＡＩＩ、及びＵＶＢの何れにおいても、高いコントラストが得られた。特に、波長がより長い波長帯域の方が明確に肝斑を識別することができ、ＵＶＡＩ、ＵＶＡＩＩ、及びＵＶＢの順に識別力が高いことが分かった。
【００５４】
また、雀卵斑の場合は、長波長のＵＶＡＩにおいて高コントラストが得られ、雀卵斑に対する識別力が高いことが分かったが、短波長側のＵＶＡＩＩ及びＵＶＢでは、コントラストは低く、十分な識別力が無かった。
【００５５】
また、日光性黒子の場合は、十分とは言えないが、短波長側のＵＶＡＩＩ及びＵＶＢと比較して、長波長のＵＶＡＩで高コントラストが得られた。短波長側のＵＶＡＩＩではわずかなコントラストしかなく、より短波長側のＵＶＢでは、コントラストは低く、識別力が無かった。
【００５６】
また、脂漏性角化症及び扁平母斑でも、短波長側のＵＶＡＩＩ及びＵＶＢと比較して、長波長のＵＶＡＩでコントラストが増加したが、短波長側のＵＶＡＩＩ及びＵＶＢでは、識別するだけのコントラストはなく、十分な識別力が無かった。
【００５７】
ここで、上述した結果が得られた理由としては、肝斑のメラニンは表皮層にあり、日光性黒子のメラニンは真皮細胞の奥にあることを考えると、波長の長いＵＶＡＩは、皮膚の奥まで到達することができるが、波長が短くなるＵＶＡＩＩ及びＵＶＢは、皮膚の奥まで到達することができないためと考えられる。
【００５８】
この結果から、長波長帯域のＵＶＡＩは、何れの種類のシミを識別する場合にも利用できることが分かる。また、波長別の紫外線画像を利用することによって、シミを高精度に分類することができる。
【００５９】
更に、本考案では、ＵＶ画像の撮像時に偏光フィルタを用いるＵＶカメラシステムを採用することによって、従来よりも格段に優れたＵＶ画像を得ることができ、容易かつ明確にシミを分類することができる。
【００６０】
上述したように、本考案によれば、テカリを防止して明瞭な肌画像を容易に取得することができる。これにより、複数種類のシミを容易且つ正確に分類することができる。
【００６１】
つまり、本考案は、被写体の肌や手等の所定範囲に照射する紫外線（ＵＶ）の波長によって、取得した画像に含まれるシミやそばかす等の見えやすさが違うという考えに基づき本考案を開発した。本考案によれば、異なる波長からなる紫外線を照射して撮影を行うカメラを用い、それぞれの波長の紫外線を照射して撮像した画像に基づいて、高精度にシミ等を分類することができる。また、画像の撮像時に偏光フィルタを用いことで、テカリを防止して明瞭な肌画像を容易に取得することができ、従来よりも格段に優れたＵＶ画像を得ることができる。
【００６２】
また、本考案における画像を用いて、シミを分類することで、肌に合った効果的な施術や化粧カウンセリングを行うことができ、更に製品評価や製品情報の開発に活用することができる。更には、開発商品の試作品の評価、他社品の評価、店頭機器ソフトへの応用等へも適用することができる。
【００６３】
以上本考案の好ましい実施例について詳述したが、本考案は係る特定の実施形態に限定されるものではなく、実用新案登録請求の範囲に記載された本考案の要旨の範囲内において、種々の変形、変更が可能である。
【図面の簡単な説明】
【００６４】
【図１】肌画像撮影システムの概略構成の一例を示す図である。
【図２】肌画像撮影装置（ユニット）における偏光フィルタの取り付けの一例を示す図である。
【図３】光源とカメラとの配置関係を説明するための一例を示す図である。
【図４】本考案における肌画像撮影システムの撮影結果を説明するための図である。
【符号の説明】
【００６５】
１  被写体
１０  肌画像撮影システム
１１  光源
１２  カメラ（撮像手段）
１３  第１の偏光フィルタ
１４  第２の偏光フィルタ
１５  制御装置
２０  肌画像撮影装置
２１  レンズ部
２２  フレーム部材
３１  発光部
【図１】
0003132195.tif 000003
【図２】
0003132195.tif 000004
【図３】
0003132195.tif 000005
【図４】
0003132195.tif 000006